(57)【特許請求の範囲】
【請求項１】
遊技盤と、該遊技盤の遊技領域を透視可能な透視板を有し且つ該遊技盤の前側に開閉自在に配置された開閉扉とを備え、
前記遊技領域に、画像表示部と該画像表示部の外周側の前側に配置された前飾り体とを有する画像表示手段と、該画像表示手段の下側に配置された図柄始動手段と、前記前飾り体の外周のワープ口から入った遊技球を前記図柄始動手段側へと落下させる下ステージとを備えた弾球遊技機において、
前記前飾り体は、前記画像表示部の上側から左右両側に跨がって配置され且つ前記遊技盤から前側に突出して該前飾り体と前記透視板との間を経て前記画像表示部側への遊技球の侵入を阻止する突出部と、前記突出部の下部側で前記下ステージよりも上側に左右方向に配置され且つ前記ワープ口から入った遊技球を左右に転動させて左右何れかの案内部の後側から落下させる上ステージとを備え、
前記上ステージは前記遊技領域を落下する遊技球が該上ステージと前記透視板との間を経て前記画像表示部側に侵入しないように前記遊技盤から前記透視板側に突出しており、
前記下ステージの後側に左右に配置され且つ前記各案内部から落下した遊技球を左右両側から前記下ステージへと誘導する誘導通路を備えた
ことを特徴とする弾球遊技機。
【発明の詳細な説明】
【技術分野】
【０００１】
本発明は、パチンコ機等の弾球遊技機に関し、遊技領域内を流下中の遊技球が画像表示手段の画像表示部の前面側に侵入して衝突しないようにしたものである。
【背景技術】
【０００２】
パチンコ機等の弾球遊技機では、前枠の遊技盤装着枠に着脱自在に装着された遊技盤と、この遊技盤の遊技領域を透視可能なガラス板（透視板）を有し且つ遊技盤の前側で前枠に開閉自在に装着された開閉扉とを備えている。遊技盤には発射手段からの遊技球を案内するガイドレールが環状に配置され、またガイドレールの内側の遊技領域に略中央部に画像表示手段、特別図柄始動手段、普通入賞手段、大入賞手段、特別図柄表示手段及び多数の遊技釘が配置されている。
【０００３】
そして、遊技領域内を流下する遊技球を特別図柄始動手段が検出すると、特別図柄表示手段の特別図柄が所定時間変動して大当たり態様、外れ態様の何れかで停止する。一方、画像表示手段の画像表示部に表示された複数個（例えば３個）の演出図柄が特別図柄の変動に同期して所定の変動パターンで所定時間変動し、変動後の特別図柄が大当たり態様となる場合には全てが揃う大当たり演出態様で停止し、また特別図柄が外れ態様となる場合には少なくとも１個が異なる外れ演出態様で停止する。変動後の特別図柄が大当たり態様で停止すると、大入賞手段が開放して多数の遊技球が入賞し易くなる等、遊技者に対して多大な利益が還元される。
【０００４】
この種の弾球遊技機に使用される図柄表示手段は、従来、液晶式、プラズマ式等の画像表示部と、この画像表示部を支持する支持枠と、画像表示部の外周で支持枠を前側から覆う前飾り体とを備えている。前飾り体には画像表示部の前面側への遊技球の侵入を阻止する侵入阻止部が、画像表示部の上側から左右両側に跨がってアーチ状その他の形状に形成され、また侵入阻止部の左右の下端間で画像表示部の前側下部にステージが配置されている。ステージは侵入阻止部の一側に形成されたワープ口から入った遊技球を左右方向に転動させた後、このステージの前側の落下部から遊技盤の前面に沿って特別図柄始動手段側へと落下させるようになっている。
【特許文献１】特開２００３−７９８４８号公報
【発明の開示】
【発明が解決しようとする課題】
【０００５】
画像表示手段には一般的に液晶式、プラズマ式等の画像表示部が使用されているが、この画像表示部の損傷を防止し、また画像表示部に表示される画像の鮮明度を維持するためには、遊技中に遊技領域に沿って流下する遊技球が画像表示部の前面側に侵入して接触しないようにする必要がある。
【０００６】
しかし、従来のステージは侵入阻止部に比較して遊技盤の前面からの突出量が小さく、その前端縁が遊技盤の前面に近接した状態にあり、ステージの前端縁とガラス板との間に遊技球の直径以上の空間があるため、遊技領域を流下する遊技球が遊技釘、入賞手段その他の遊技部品に衝突して弾き飛ばされた場合に、その遊技球がステージの前端縁から画像表示部側に飛び込んで画像表示部の前面を損傷する惧れがある。
【０００７】
また画像表示部の前側下部にステージがない場合にも、侵入阻止部の左右の下端部間が開放状になっているため、遊技領域を流下する遊技球が遊技釘、入賞手段その他の遊技部品により弾き飛ばされた場合に、その遊技球が侵入阻止部の左右の下端部間から画像表示部側に飛び込んで画像表示部の前面を損傷する等、ステージ付きの場合と同様の問題がある。
【０００８】
本発明は、このような従来の問題点に鑑み、遊技領域を流下する遊技球が遊技釘その他の遊技部品により弾き飛ばされた場合にも、その遊技球の画像表示部の前面側への侵入を阻止して画像表示部の損傷等を未然に防止できる弾球遊技機を提供することを目的とする。
【課題を解決するための手段】
【０００９】
本発明は、遊技盤と、該遊技盤の遊技領域を透視可能な透視板を有し且つ該遊技盤の前側に開閉自在に配置された開閉扉とを備え、前記遊技領域に、画像表示部と該画像表示部の外周側の前側に配置された前飾り体とを有する画像表示手段と、該画像表示手段の下側に配置された図柄始動手段と、前記前飾り体の外周のワープ口から入った遊技球を前記図柄始動手段側へと落下させる下ステージとを備えた弾球遊技機において、前記前飾り体は、前記画像表示部の上側から左右両側に跨がって配置され且つ前記遊技盤から前側に突出して該前飾り体と前記透視板との間を経て前記画像表示部側への遊技球の侵入を阻止する突出部と、前記突出部の下部側で前記下ステージよりも上側に左右方向に配置され且つ前記ワープ口から入った遊技球を左右に転動させて左右何れかの案内部の後側から落下させる上ステージとを備え、前記上ステージは前記遊技領域を落下する遊技球が該上ステージと前記透視板との間を経て前記画像表示部側に侵入しないように前記遊技盤から前記透視板側に突出しており、前記下ステージの後側に左右に配置され且つ前記各案内部から落下した遊技球を左右両側から前記下ステージへと誘導する誘導通路を備えたものである。
【発明の効果】
【００１１】
本発明によれば、遊技領域を流下する遊技球が遊技釘その他の遊技部品により弾き飛ばされた場合にも、その遊技球の画像表示部の前面側への侵入を阻止して画像表示部の損傷等を未然に防止できる利点がある。
【発明を実施するための最良の形態】
【００１２】
以下、本発明の実施形態を図面に基づいて詳述する。図１〜図７は本発明をパチンコ機に採用した第１の実施例を例示している。図１において、遊技機本体１は、矩形状の外枠２と、この外枠２の前側にヒンジ３により縦軸廻りに開閉自在に枢着された前枠４とを備えている。前枠４の前側には開閉扉５と前面板６とが上下に配置され、前枠４にヒンジ３と同じ側のヒンジ７により縦軸廻りに開閉自在に枢支されている。
【００１３】
前面板６の前側には発射用の遊技球を貯留する球供給皿８が配置され、その側方に遊技球を発射する発射手段（図示省略）の発射ハンドル９が設けられている。開閉扉５の裏側には、この開閉扉５に対応するように前枠４に遊技盤１０（図２、図３参照）が着脱自在に装着されている。
【００１４】
遊技盤１０の前面には、図２、図３に示すように、発射手段から発射された遊技球を案内するが略円弧状のガイドレール１１と、このガイドレール１１と反対側に配置された略円弧状の外装飾体１２とが装着され、このガイドレール１１及び外装飾体１２の内側が略円形状の遊技領域１３となっている。そして、遊技盤１０の遊技領域１３には画像表示手段１４、普通図柄始動手段１５、特別図柄始動手段１６、普通入賞手段１７、大入賞手段１８、多数の遊技釘（図示省略）等の各種の遊技部品が配置されている。開閉扉５は遊技盤１０の遊技領域１３に対応する大きさの透視窓１９を有し、その透視窓１９の裏側に配置されたガラス板、合成樹脂板等の透視板２０を介して遊技領域１３を透視可能になっている。
【００１５】
画像表示手段１４は例えば図２〜図５に示すように遊技領域１３の略中央で遊技盤１０に装着されており、液晶式、プラズマ式等の薄型の画像表示部２２と、この画像表示部２２を支持する箱状の支持枠２３と、画像表示部２２の外周で支持枠２３を前側から覆う前飾り体２４とを備えている。
【００１６】
前飾り体２４に普通図柄表示手段２５が、外装飾体１２に特別図柄表示手段２６が夫々設けられている。なお、特別図柄表示手段２６は透視窓１９内に対応している。また普通図柄表示手段２５、特別図柄表示手段２６はその一方又は双方を遊技盤１０に直接設けてもよいし、遊技盤１０に装着された他の遊技部品に設けてもよい。
【００１７】
普通図柄表示手段２５は普通図柄を変動表示するためのもので、複数種類の普通図柄（例えば２種類の「○」「×」）に対応する複数個、例えば２個の発光素子により構成されており、普通図柄始動手段１５が遊技球を検出することを条件に２個の発光素子が交互に点灯するように所定時間点滅変動して、普通図柄始動手段１５の遊技球の検出時に抽選した乱数値が予め定められた当たり判定値と一致した場合に当たり態様の「○」側の発光素子が点灯し、それ以外の場合に外れ態様の「×」側の発光素子が点灯して停止するようになっている。
【００１８】
特別図柄表示手段２６は、発光部位の変化等で特別図柄を変動表示可能なセグメント式等の表示手段により構成されており、特別図柄始動手段１６が遊技球を検出することを条件に特別図柄が所定時間変動して、特別図柄始動手段１６の遊技球の検出時に抽選された乱数値が予め定められた大当たり乱数値と一致した場合に所定の大当たり態様で、それ以外の場合に外れ態様で停止するようになっている。
【００１９】
画像表示部２２は矩形状その他の形状であって、図３に示すように遊技中は演出図柄２７ａ〜２７ｃとその背景画像（図示省略）とが表示され、また特定の遊技状態の場合は特別図柄の変動に同期して所定の演出画像が、遊技終了後はデモ画像が夫々が表示される。
【００２０】
演出図柄２７ａ〜２７ｃは画像表示部２２に複数個、例えば３個表示され、その各演出図柄２７ａ〜２７ｃは特別図柄表示手段２６の特別図柄の変動に同期して変動を開始し、所定の変動パターンを経て所定時間変動した後、特別図柄の変動終了に同期して所定の順序で順次停止する。そして、演出図柄２７ａ〜２７ｃの変動後の停止図柄は、特別図柄表示手段２６の特別図柄が大当たり態様で停止する場合には全てが揃う大当たり演出態様となり、特別図柄が外れ態様で停止する場合には少なくとも一部が異なる外れ演出態様となる。
【００２１】
なお、演出図柄２７ａ〜２７ｃには例えば０〜９までの数字図柄が使用されており、特別図柄が大当たり態様で停止する場合には演出図柄２７ａ〜２７ｃは「７・７・７」等の大当たり演出態様で停止し、特別図柄が外れ態様で停止する場合には演出図柄２７ａ〜２７ｃは「２・４・５」等の外れ演出態様で停止する。
【００２２】
普通図柄始動手段１５は遊技領域１３の上下方向の中間部でガイドレール１１と画像表示手段１４との間に配置されている。大入賞手段１８は画像表示手段１４の下側でアウト球口２８の上側近傍に配置され、特別図柄表示手段２６の変動後の特別図柄が大当たり態様で停止したときに開閉板２９が前側に傾斜して大入賞口３０を開放し、上方から流下する遊技球を大入賞口３０へと案内するようになっている。
【００２３】
特別図柄始動手段１６は固定式入賞口３１と電動チューリップ等の可変式入賞口３２とを上下に備え、画像表示手段１４の下側で大入賞手段１８との間に配置されている。可変式入賞口３２は普通図柄表示手段２５の変動後の普通図柄が当たり態様を停止表示したときに所定時間開放するようになっている。
【００２４】
遊技領域１３には画像表示手段１４、普通入賞手段１７、大入賞手段１８、普通図柄始動手段１５、特別図柄始動手段１６以外の部分に多数の遊技釘が設けられており、この遊技釘により、ガイドレール１１の上端から遊技領域１３に入った遊技球が流下する流下通路を形成し、また遊技球の流下方向を不規則に変化させるようになっている。
【００２５】
画像表示手段１４の支持枠２３は画像表示部２２に対応する表示窓２１を有し、遊技盤１０の開口１０ａに対応してその裏面に装着されている。前飾り体２４は画像表示部２２の外周で支持枠２３を前側から覆うもので、この前飾り体２４には遊技盤１０から前側に突出して開閉扉５の透視板２０との間から画像表示部２２の前面側への遊技球の侵入を阻止する侵入阻止部３３，３４が遊技盤１０の前面で画像表示部２２の全外周に設けられている。
【００２６】
即ち、前飾り体２４は、図２〜図６に示すように遊技盤１０の前面に当接して固定された取り付け板３５と、遊技盤１０の開口１０ａに嵌合して後端が支持枠２３の表示窓２１に対応する窓枠３６と、画像表示部２２の上側から左右両側に跨がって配置され且つ取り付け板３５から前側に突出する突出部３７と、画像表示部２２の前側下部で突出部３７の途切れ部分に配置され且つワープ口３８からの遊技球を転動させて落下部４０から落下させる上ステージ３９と、この上ステージ３９の下側に配置され且つその落下部４０からの遊技球を落下部４１，４２から遊技盤１０の前側に落下させる下ステージ４３とを備え、その突出部３７の外周壁４４と上ステージ３９の前端縁４５とにより、遊技盤１０の前面で画像表示部２２の外周の略全周を取り囲む侵入阻止部３３，３４が構成されている。
【００２７】
窓枠３６は取り付け板３５の裏側に一体に設けられ、取り付け板３５と支持枠２３の表示窓２１との間に配置されている。従って、画像表示部２２は窓枠３６で取り囲まれて後方へと凹入する凹部の後端に配置されている。
【００２８】
なお、窓枠３６は支持枠２３と一体でもよいし、取り付け板３５及び支持枠２３から分離して別体構造として、取り付け板３５及び支持枠２３の何れか一方に取り付けるようにしてもよい。また画像表示手段１４は前飾り体２４と支持枠２３とを一体に結合し、その画像表示部２２、支持枠２３を開口１０ａに嵌めながら遊技盤１０に対して前側から装着するようにしてもよい。
【００２９】
突出部３７は画像表示部２２の上側に配置された上装飾部４６と、画像表示部２２の左右両側に配置された横装飾部４７，４８とを有し、取り付け板３５の前面に装着された１個又は複数個の部品から構成され、その取り付け板３５の前面からの突出高さは遊技盤１０に固定された遊技釘と略同程度となっている。なお、左右の横装飾部４７，４８の内、そのガイドレール１１と反対側の横装飾部４８は下方に長く延びているが、左右の横装飾部４７，４８の上下方向の長さは略同程度でもよい。
【００３０】
突出部３７の上装飾部４６、横装飾部４７，４８は、図４に上装飾部４６を例示するように、その前面が遊技球の直径Ｂ未満の間隔Ａで透視板２０に近接すると共に、遊技領域１３の球通路に面する外周壁４４を連続状に備え、その外周壁４４により、上ステージ３９側を除く突出部３７側の侵入阻止部３３が形成されている。この突出部３７側の侵入阻止部３３は、画像表示手段１４の外周側の遊技領域１３を移動する遊技球を規制して、その遊技球の画像表示部２２の前面側への侵入を阻止するようになっている。
【００３１】
なお、上装飾部４６の外周壁４４は略山形状に形成されている。また遊技領域１３のガイドレール１１と反対側には、その横装飾部４８と外装飾体１２との間に遊技球が流下可能な流下通路４９が形成されているが、この流下通路４９は横装飾部４８を外装飾体１２に近接させて配置する等して省略することも可能である。
【００３２】
ワープ口３８は図３、図５に示すようにガイドレール１１側の横装飾部４７の外周壁４４に設けられ、このワープ口３８に入った遊技球を横装飾部４７内のワープ通路５０を経て下端のワープ出口５１から上ステージ３９上に案内するようになっている。ワープ口３８は上装飾部４６の外周壁４４に設けてもよい。ワープ出口５１は上ステージ３９の左右方向の一端側で前後方向の後部側に開口している。ワープ口３８とワープ出口５１を連通するワープ通路５０は、上ステージ３９上で遊技球が跳ねない程度の慣性力で落下すべく、その落下時の慣性力を緩和するために左右及び／又は前後方向に屈曲状に形成されている。
【００３３】
上ステージ３９は突出部３７側の侵入阻止部３３を構成する左右の外周壁４４間で窓枠３６の下壁部５２の前側に配置されている。この上ステージ３９は左右方向に長い平面視帯状であって、左右方向の円弧状に上側へと緩やかに湾曲する凸部５３と、この凸部５３の左右両側に配置され且つ左右方向の円弧状に下側へと緩やかに湾曲する案内溝５４と、その一方の案内溝５４とワープ出口５１との間に、この一方の案内溝５４側へと傾斜する案内通路５５と、この案内通路５５と略左右対称に形成された疑似通路５６とを備え、凸部５３、案内溝５４、案内通路５５及び疑似通路５６に跨がって設けられた前端縁４５により上ステージ３９側の侵入阻止部３４が形成されている。
【００３４】
左右の案内溝５４は後端側の落下部４０へと後ろ広がり状に傾斜しており、上ステージ３９上で転動する遊技球を後端側の落下部４０へと案内するようになっている。案内通路５５は上ステージ３９に対応するワープ出口５１から案内溝５４の前部側へと湾曲している。なお、上ステージ３９の前端縁４５は、凸部５３、案内溝５４、案内通路５５、疑似通路５６等の転動部よりも高くなっている。
【００３５】
上ステージ３９の前端縁４５は開閉扉５の透視板２０と略平行であって、他の突出部３７と略同程度の突出高さで遊技盤１０の前面から透視板２０へと前側に突出して透視板２０に近接している。従って、上ステージ３９の前端縁４５と透視板２０との間隔Ａは、図４に示すように遊技球の直径Ｂ未満、取り分け遊技球の直径Ｂの半分未満であり、この前端縁４５が上ステージ３９側を経て画像表示部２２の前面側への遊技球の侵入を阻止する侵入阻止部３４となっている。
【００３６】
このため仮に遊技領域１３を流下する遊技球が上ステージ３９の下側近傍で遊技釘その他の遊技部品に衝突して上ステージ３９の前端縁４５側へと弾き飛ばされるようなことがあっても、その遊技球の上ステージ３９の前側から上側を経て画像表示部２２側へと侵入することはない。
【００３７】
下ステージ４３は図７に示すように左右方向に長い平面視帯状であって、上ステージ３９の下側で取り付け板３５の裏側に当接して固定されている。この下ステージ４３は左右両側に配置された一対の傾斜通路５９間に、その略中央に配置された案内溝６０と、この案内溝６０の左右両側に配置された案内溝６１と、各案内溝６０，６１間に配置され且つ上側へと緩やかに湾曲する凸部６２とを有し、傾斜通路５９から案内された遊技球が左右方向に転動した後、その案内溝６０，６１の何れかを経て前端の落下部４２から遊技盤１０の前面側へと落下するようになっている。各傾斜通路５９は中間の段差等を介して案内溝６１側が低くなっている。なお、案内溝６０，６１は前広がり状になっている。
【００３８】
下ステージ４３の裏側には、上ステージ３９の落下部４０から落下した遊技球を下ステージ４３へと誘導する左右一対の誘導通路６４が後壁６５を介して設けられている。各誘導通路６４は上ステージ３９の裏側に左右方向に配置されており、上ステージ３９の中央側から左右方向の外側へと傾斜して、その下流端側が後壁６５と誘導通路６４の外側の囲繞壁６６との間に形成された隘路６７を介して連通している。
【００３９】
従って、傾斜通路５９と誘導通路６４は隘路６７を介して屈曲して平面視Ｕ字状に屈曲し、傾斜通路５９、隘路６７、誘導通路６４が上手側へと順次高くなっているため、仮に遊技領域１３を流下する遊技球が下ステージ４３の下側近傍で遊技釘その他の遊技部品に衝突して弾き飛ばされた後、その遊技球が下ステージ４３上に乗り上がるようなことがあった場合でも、下ステージ４３から誘導通路６４を逆流して画像表示部２２の前面側に侵入し得ない構造になっている。
【００４０】
なお、案内溝６０は特別図柄始動手段１６の略真上に配置されている。また誘導通路６４の後壁部６４ａは上ステージ３９の各案内溝５４の落下部４０から落下する遊技球を受け取り易くするために、後ろ上がりに傾斜状になっている。下ステージ４３は左右両端部その他の適宜位置でネジ等の固定具により取り付け板３５に固定され、また上ステージ３９は下ステージ４３に左右両端部その他の適宜位置でネジ等の固定具により取り付け板３５に固定されている。
【００４１】
このパチンコ機では、発射手段の発射ハンドル９を操作しながら、球供給皿８から１個ずつ供給される遊技球を発射手段の打撃槌で打撃して発射し、その遊技球をガイドレール１１を経て遊技領域１３の上部側へと案内する。遊技領域１３の上部側に入った遊技球は、画像表示手段１４の突出部３７の侵入阻止部３３、遊技釘により案内される等しながら下方へと流下し、普通図柄始動手段１５を通過し、若しくは特別図柄始動手段１６、普通入賞手段１７、大入賞手段１８等に入賞するか、又は入賞せずにアウト球口２８から排出される。
【００４２】
そして、普通図柄始動手段１５が遊技球を検出すれば、普通図柄表示手段２５の普通図柄が所定時間変動し、また変動後の普通図柄が当たり態様となれば、特別図柄始動手段１６の可変式入賞口３２が開放する。特別図柄始動手段１６が遊技球を検出すると、特別図柄表示手段２６の特別図柄が所定時間変動し、その変動後の停止図柄が大当たり態様となれば、大入賞手段１８が開放して多数の遊技球が入賞し易くなる。また特別図柄表示手段２６の特別図柄の変動に同期して、画像表示手段１４の画像表示部２２に表示される演出図柄２７ａ〜２７ｃが変動し、特別図柄が大当たり態様のときには大当たり演出態様で、特別図柄が外れ態様のときには外れ演出態様で夫々停止する。また演出図柄２７ａ〜２７ｃの表示に同期して、演出図柄２７ａ〜２７ｃの背景部分に所定の演出画像が表示される。
【００４３】
またワープ口３８に入った遊技球は、ワープ通路５０、ワープ出口５１を経て上ステージ３９へと案内され、その慣性力に応じて上ステージ３９上を左右方向に転動した後、左右の案内溝５４の何れかから落下部４０を経て下方へと落下し、誘導通路６４、隘路６７、傾斜通路５９を経て下ステージ４３へと案内される。そして、この遊技球は下ステージ４３上を左右方向に転動した後、案内溝６０，６１の何れかから落下部４１，４２を経て遊技盤１０の前側へと落下する。
【００４４】
このような遊技において、遊技球が遊技領域１３に沿って流下する場合、その遊技球は画像表示部２２の上側から左右両側に跨がる突出部３７側では、その外周壁４４により構成された侵入阻止部３３に衝突して規制又は案内されながら下方に落下する。このため突出部３７の下端よりも上側では、流下中の遊技球が遊技釘その他の遊技部品に衝突してどの方向に弾き飛ばされても、その遊技球が突出部３７を超えて画像表示部２２側へと侵入することはない。
【００４５】
また上ステージ３９、下ステージ４３の下側近傍等で遊技球が遊技釘その他の遊技部品に衝突した場合、その遊技球が遊技釘その他の遊技部品により上ステージ３９の前端縁４５側へと弾き飛ばされるようなことがある。しかし、このような場合にも、上ステージ３９の前端縁４５と透視板２０との間隔Ａが遊技球の直径Ｂ未満であって、上ステージ３９の前端縁４５が侵入阻止部３４となっているため、下方から飛び上がる遊技球をその侵入阻止部３４により阻止でき、遊技球が透視板２０と上ステージ３９との間を経て画像表示部２２の前面側へと侵入することはない。
【００４６】
しかも、上ステージ３９の前端縁４５が侵入阻止部３４となっているが、上ステージ３９の前端縁４５と透視板２０との間隔Ａは遊技球の直径Ｂの半分未満であるため、仮に上ステージ３９の前端縁４５上に遊技球が乗り上がるようなことがあっても、その遊技球が透視板２０に当接した状態で上ステージ３９の前端縁４５上に安定的に止まるようなことはない。なお、上ステージ３９の前端縁４５側に頂部がある場合、透視板２０に当接する遊技球の中心を通る鉛直線よりも透視板２０側にその頂部を配置しておけばよい。
【００４７】
更に下ステージ４３の前側には落下部４１，４２から遊技球を遊技盤１０の前側に落下させるだけの間隔があるため、遊技釘その他の遊技部品に衝突して弾き飛ばされた遊技球が下ステージ４３上に乗ることはある。しかし、この下ステージ４３と上ステージ３９の落下部４０との間では、傾斜通路５９、誘導通路６４が隘路６７を介して平面視Ｕ字状に屈曲し、しかも傾斜通路５９、隘路６７、誘導通路６４が上手側へと順次高くなっているため、仮に下ステージ４３上に乗り上げる遊技球があっても、その遊技球が逆流して落下部４０から画像表示部２２の前面側へと侵入することはない。
【００４８】
従って、遊技領域１３を流下中の遊技球が遊技釘等に衝突してどの方向に弾き飛ばされても、その遊技球が画像表示部２２に侵入してその前面に衝突する等の問題を未然に防止することができ、遊技球の衝突による画像表示部２２の損傷、画像表示部２２の前面の損傷に伴う画像の鮮明度の低下等を解消できる。
【００４９】
また上ステージ３９を透視板２０に接近して配置できるため、上ステージ３９の遊技球の転動部分を透視板２０に近接して配置することができる。このため遊技者が上ステージ３９での遊技球の転動状態を容易に把握することが可能であると共に、上ステージ３９の前後幅を大きく取ることが可能である。
【００５０】
更に上ステージ３９を前側に配置できるため、画像表示部２２を必要以上に後方に配置することなく、この画像表示部２２と上ステージ３９との間に、上ステージ３９の後端から落下する遊技球を受けて下ステージ４３へと誘導する誘導通路６４の前後幅を十分に確保することも可能である。
【００５１】
図８及び図９は本発明の第２の実施例を例示する。この実施例では、上ステージ３９の前端縁４５は曲線状になっており、凸部５３の前側、案内通路５５、疑似通路５６の前側に、後方へと凹入する凹入部７０，７１が形成されている。
【００５２】
凹入部７０と透視板２０との間隔Ａ１、凹入部７１と透視板２０との間隔Ａ２は共に遊技球の直径Ｂ未満となっており、上ステージ３９の前端縁４５により上ステージ３９側の侵入阻止部３４が構成されている。従って、上ステージ３９の前端縁４５は、必ずしも直線である必要はない。なお、突出部３７側の侵入阻止部３３の前端縁又は前端面の場合も同様である。
【００５３】
図１０及び図１１は本発明の第３の実施例を例示する。この実施例では、上ステージ３９の前壁部７２の上端に前側に屈曲する屈曲部７３が形成され、この屈曲部７３の前端縁４５と透視板２０との間隔Ａが遊技球の直径Ｂ未満となっている。そして、屈曲部７３の下側では前壁部７２の前面と透視板２０との間隔Ｃが遊技球の直径Ｂ以上となっており、その前面には球詰まり防止突部７４が設けられている。
【００５４】
このように上ステージ３９の前壁部７２に屈曲部７３を形成して、この屈曲部７３の前端縁４５と透視板２０との間隔Ａが遊技球の直径Ｂ未満とした場合にも、屈曲部７３の前端縁４５を侵入阻止部３４とすることができる。
【００５５】
しかし、屈曲部７３の下側での前壁部７２の前面と透視板２０との間隔Ｃが遊技球の直径Ｂと略同程度か直径Ｂよりも若干大きい程度の場合には、下側から弾き飛ばされた遊技球がその間に詰まる惧れがある。従って、この場合には、前壁部７２の前面の少なくとも下部側に左右方向に所定の間隔をおいて球詰まり防止突部７４を設けて、この球詰まり防止突部７４により遊技球の詰まりを防止すればよい。なお、左右の球詰まり防止突部７４間の間隔は、透視板２０との間隔の大小を考慮してその間に遊技球が詰まらない程度にすればよい。
【００５６】
図１２は本発明の第４の実施例を例示する。この実施例では、ガイドレール１１と反対側にある横装飾部４８の内側に可動演出体７６が配置されている。可動演出体７６は下部の支軸７７廻りに退避位置Ｄと画像表示部２２側に突出する演出位置Ｅとの間で移動自在であり、特別図柄表示手段２６の特別図柄の変動に際して、その変動後の停止図柄が大当たり態様で停止する確率の高い変動パターンで画像表示部２２の演出図柄２７ａ〜２７ｃが変動する場合に、１個の演出図柄２７ｂを除く他の演出図柄２７ａ，２７ｃが同種図柄で停止するリーチを契機に可動演出体７６が演出位置Ｅに移動して予告演出を行うようになっている。
【００５７】
可動演出体７６は窓枠３６と一体又は別体に設けられ且つ取り付け板３５と画像表示部２２との中間に配置された支持板７８に支軸７７を介して取り付けられ、この可動演出体７６の下部は上ステージ３９の端部下側に近接する下装飾部７９と横装飾部４８との間に配置されている。
【００５８】
横装飾部４８は下装飾部７９よりも下方に延びており、この横装飾部４８の下端側と下装飾部７９との間は、これらの装飾部４８，７９が途切れた途切れ部８０となっている。装飾部４８，７９の突出量は第１の実施例と同じであり、途切れ部８０と透視板２０との間隔は遊技球の直径Ｂよりも大になっている。
【００５９】
なお、装飾部４８，７９を含む突出部３７側の侵入阻止部３３は、横装飾部４７，４８、下装飾部７９により構成され、また可動演出体７６も画像表示部２２の前面側への遊技球の侵入を阻止する障害物となっている。
【００６０】
このように前飾り体２４のガイドレール１１と反対側の下部等で遊技球が侵入し難い箇所、又は遊技球が弾き飛ばされる箇所から画像表示部２２までの間に十分な高低差がある箇所等では、突出部３７側の侵入阻止部３３に途切れを設けてもよい。つまり、侵入阻止部３３は画像表示部２２の全周においてその前面側への遊技球の侵入を阻止する構成であればよく、必ずしも全周に連続状に設ける必要はない。
【００６１】
また仮に下側から横装飾部４８と下装飾部７９との間の途切れ部８０から上側へと遊技球が侵入した場合でも、その上側にある可動演出体７６が障害物となって、それ以上の遊技球の侵入を阻止できる。このため途切れ部８０よりも画像表示部２２側に障害物がある場合には、この実施例のようにその障害物を利用して侵入阻止部３３の一部を構成してもよい。
【００６２】
図１３及び図１４は本発明の第５の実施例を例示する。この実施例では、上ステージ３９は湾曲状の前壁部７２を有し、この前壁部７２の前面には少なくとも透視板２０との間隔Ｆが遊技球の直径Ｂ以上となる部分に、左右方向に遊技球の直径Ｂ未満の間隔をおいて侵入阻止突起８２が設けられている。従って、遊技球の直径Ｂ以上となる部分では、この侵入阻止突起８２により侵入阻止部３４が構成されている。
【００６３】
また侵入阻止突起８２の頂部８３と透視板２０との間隔は遊技球の半径未満であり、この侵入阻止突起８２上で遊技球が停止せず、その遊技球を上ステージ３９の転動部分側に案内するようになっている。
【００６４】
このように上ステージ３９の前側に侵入阻止突起８２を設ける場合には、その前壁部７２と透視板２０との間隔Ｆが遊技球の直径Ｂ以上であってもよい。なお、上ステージ３９の前壁部７２は直線状にしてもよい。また前飾り体２４の突出部３７側の侵入阻止部３３側も、上ステージ３９の侵入阻止突起８２と同様に構成してもよい。従って、突出部３７の侵入阻止部３３、上ステージ３９の侵入阻止部３４を問わず、その前端側を凹凸状に形成して、その凹凸部分により侵入阻止部３３，３４を構成することも可能である。
【００６５】
図１５及び図１６は本発明の第６の実施例を例示する。この実施例では、図柄表示部２２の前側下部に１個のステージ３９が設けられている。このステージ３９は左右方向の中央側が低くなっており、その部分に１個又は複数個、例えば３個の落下部４０ａ，４０ｂが開口状に形成されている。
【００６６】
３個の落下部４０ａ，４０ｂの内、ステージ３９の後部側に配置された１個の落下部４０ａは、その下側の落下通路８５を介して特別図柄始動手段１６の略直上で遊技盤１０の前側に遊技球を落下させるようになっている。ステージ３９の前部側に配置された左右２個の落下部４０ｂは、遊技盤１０の前側に直接遊技球を落下させるようになっている。ステージ３９上には、落下部４０ａ，４０ｂの近傍その他の適当箇所に突起等、遊技球の転動の障害となる障害部８６が設けられている。
【００６７】
このようにステージ３９の前端縁４５を透視板２０に接近させて、その前端縁４５で侵入阻止部３３を構成する場合には、ステージ３９の前後幅を広くできるので、ステージ３９の前後幅内に１個又は複数個の落下部４０ａ，４０ｂを設けることも可能である。
【００６８】
図１７は本発明の第７の実施例を例示する。この実施例では左右の横装飾部４７，４８を連結する下装飾部７９を有し、画像表示部２２の外周の全周が装飾部４７，４８，７９で取り囲まれ、その各装飾部４７，４８，７９の外周壁４４で侵入阻止部３３，３４が構成されている。画像表示部２２の前側下部は可動演出部８８となっており、第１の実施例のような上ステージ３９、下ステージ４３等はない。可動演出部８８は窓枠３６の下壁部５２を前下がりの傾斜状にして、その下壁部５２上に可動演出体７６を設ける等によって構成されている。可動演出体７６は上下方向、左右方向等の適宜方向に移動して大当たり等の予告演出を行うようになっている。
【００６９】
このように画像表示部２２の前側下部に上ステージ３９、下ステージ４３等がない場合にも、その上ステージ３９に代替して下装飾部７９を設ける等により侵入阻止部３４を構成してもよい。
【００７０】
以上、本発明の各実施例について詳述したが、本発明はこの各実施例に限定されるものではなく、本発明の趣旨を逸脱しない範囲で種々の変更が可能である。例えば、前飾り体２４、上ステージ３９、下ステージ４３、侵入阻止部３３，３４の形状、構造は各実施例に例示する構造以外のものでもよい。また画像表示部２２の前側下部にステージを設ける場合、上ステージ３９と下ステージ４３とを上下に設けてもよいし、下ステージ４３を省略して１個の上ステージ３９のみとすることもできる。勿論、画像表示部２２の前側のステージは省略してもよい。ステージ３９の侵入阻止部３４は、ステージ３９から前斜め下方に突出して設けてもよい。
【００７１】
画像表示部２２は通常遊技盤１０の裏面より後方に配置されることが多いが、その前面が遊技盤１０の板厚内に収まるように配置してもよい。画像表示部２２の前側の外周に上装飾部４６と横装飾部４７，４８と下装飾部７９とを設ける場合、画像表示部２２の上側から左右両側に跨がって配置される上装飾部４６と横装飾部４７，４８とを一体に構成し、これらとは別に下装飾部７９を取り付け板３５に設けてもよい。
【００７２】
画像表示部２２を取り囲む侵入阻止部３３，３４の内、画像表示部２２の上側から左右両側に跨がって配置される上装飾部４６及び横装飾部４７，４８が遊技盤１０から前側に突出する突出量を大にして、これら上装飾部４６及び横装飾部４７，４８側の侵入阻止部３３を透視板２０に近接らせて配置し、ステージ３９又は下装飾体７９の遊技盤１０からの突出量を上装飾部４６及び横装飾部４７，４８の突出量よりも小さくして、ステージ３９又は下装飾体７９側の侵入阻止部３４を侵入阻止部３３より若干公報に配置してもよい。要するにステージ３９、下装飾体７９の前端と透視板２０との間隔Ａが遊技球の直径Ｂよりも小であって、ステージ３９、下装飾体７９の前側を経て遊技球が画像表示部２２の前面側へと飛び込まないようになっておればよい。またアレンジボール機、雀球遊技機等の他の弾球遊技機においても同様に実施可能であることは云うまでもない。
【図面の簡単な説明】
【００７３】
【図１】本発明の第１の実施例を示すパチンコ機の斜視図である。
【図２】同遊技盤の斜視図である。
【図３】同遊技盤の正面図である。
【図４】同遊技盤の縦断面図である。
【図５】同遊技盤の横断面図である。
【図６】同遊技盤の縦断面図である。
【図７】同下ステージの斜視図である
【図８】本発明の第２の実施例を示す遊技盤の横断面図である。
【図９】同縦断面図である。
【図１０】本発明の第３の実施例を示す遊技盤の縦断面図図である。
【図１１】同上ステージの正面図である。
【図１２】本発明の第４の実施例を示す遊技盤の正面図である。
【図１３】本発明の第５の実施例を示す遊技盤の横断面図である。
【図１４】同縦断面図である。
【図１５】本発明の第６の実施例を示す遊技盤の要部の斜視図である。
【図１６】同縦断面図である。
【図１７】本発明の第７の実施例を示す遊技盤の斜視図である。
【符号の説明】
【００７４】
５  開閉扉
１０  遊技盤
１３  遊技領域
１４  画像表示手段
２０  透視板
２２  画像表示部
２４  前飾り体
３３，３４  侵入阻止部
３５  取り付け板
３９  上ステージ
４０，４１，４２  落下部
４５  前端縁
５９  傾斜通路
６４  誘導通路
Ａ  間隔
Ｂ  直径
【図１】
0005752085.tif 000002
【図２】
0005752085.tif 000003
【図３】
0005752085.tif 000004
【図４】
0005752085.tif 000005
【図５】
0005752085.tif 000006
【図６】
0005752085.tif 000007
【図７】
0005752085.tif 000008
【図８】
0005752085.tif 000009
【図９】
0005752085.tif 000010
【図１０】
0005752085.tif 000011
【図１１】
0005752085.tif 000012
【図１２】
0005752085.tif 000013
【図１３】
0005752085.tif 000014
【図１４】
0005752085.tif 000015
【図１５】
0005752085.tif 000016
【図１６】
0005752085.tif 000017
【図１７】
0005752085.tif 000018